(57)【要約】本発明は、好ましくは円形のリングを有するキーリングであって、前記リングは、一周している第１の巻回部１と、この第１の巻回部に結合されると共に、第１の巻回部に向けて弾性的に引かれる一部または好ましくは一周している第２の巻回部２とを有し、第１の巻回部は、二つの巻回部の間および二つの自由端３，５から延在している間隙によって第２の巻回部から分離され、キーのヘッドは、キーリングにそれを固定したり、あるいはそれを取り外したりするように、間隙を通じて通過し、摘み９は爪形状で設けられており、その摘みは、間隙に挿入するに十分な薄さと十分な幅を有する導入端１０を有し、摘みを回転させることによって、二つの巻回部が、キーヘッドを挿入するために十分に離れるよう移動し、前記間隙へと摘みの挿入を可能とするために、十分なリングからの距離で、摘みを固定する手段を設ける。
2005529660.tif 000002
【特許請求の範囲】
【請求項１】
好ましくは円形のリングを有するキーリングであって、前記リングは、一周している第１の巻回部と、この第１の巻回部に結合されると共に、第１の巻回部に向けて弾性的に引かれる一部または好ましくは一周している第２の巻回部とを有し、第１の巻回部は、二つの巻回部の間および二つの自由端から延在している間隙によって第２の巻回部から分離され、キーのヘッドは、キーリングにそれを固定したり、あるいはそれを取り外したりするように、間隙を通じて通過し、摘みは爪形状で設けられており、その摘みは、間隙に挿入するに十分な薄さと十分な幅を有する導入端を備え、摘みを回転させることによって、二つの巻回部が、キーヘッドを挿入するために十分に離れるよう移動し、補助リングが前記リングに摘みを固定するために設けられ、前記摘みは補助リングが通過する開口を有し、その補助リングと、導入端と、摘みの開口部との相対的な寸法は、前記摘みが前記間隙内においてその幅で挿入された導入端と共に実質的に９０°回転されたとき、前記補助リングが摘みに接触するように選択され、その結果、摘みの回転が一つの回転方向において不可能となり、前記摘みを保持することなくユーザが二つの巻回部の間にキーを挿入することができるように、前記摘みが二つの巻回部の間に保持されることを特徴とするキーリング。
【請求項２】
前記補助リングは、前記摘みの両側において摘みに接触していることを特徴とする請求項１に記載のキーリング。
【請求項３】
前記補助リングの内径は、キーリングによって形成された平面と直交する方向における摘みの有効幅と二つの巻回部の二つの厚さとの合計以上であることを特徴とする請求項１に記載のキーリング。
【請求項４】
前記摘みは、薄い爪形状を有すると共に、二つの平行する相隔たった側端を有し、前記二つの側端の間の間隔は、前記摘みが、前記二つの巻回部の各々に接触している二つの側端と共に前記間隙に置かれたとき、前記間隙は、キーヘッドを挿入するために十分に開くすることを特徴とする請求項１に記載のキーリング。
【請求項５】
前記開口部は、前記摘みの導入端と平行する方向における寸法を有し、その寸法は、リングの平面と直交する方向における導入端の有効幅と二つの巻回部の二つの厚さとの合計に対し、それと同一またはそれより大きく、好ましくは同一であることを特徴とする請求項１に記載のキーリング。
【請求項６】
前記爪形状の摘みは、傾斜した導入端を有することを特徴とする請求項１に記載のキーリング。
【請求項７】
前記摘み（９，９’）は、前記リングと同一の材料、特に鉄によって形成されていることを特徴とする請求項１に記載のキーリング。
【請求項８】
前記摘み形態の構成部材は、印刷または刻まれた情報を提供し、特にトレードマーク、広告デザインまたはロゴを提供することを特徴とする請求項１に記載のキーリング。
【請求項９】
摘みは、実質的に扁平であることを特徴とする請求項１に記載のキーリング。
【発明の詳細な説明】
【技術分野】
【０００１】
本発明は、一周した第１の巻回部と、少なくとも一部、好ましくは全体的に捲回された第２の巻回部とを有する好ましくは円形のリングを備え、前記第２の巻回部は、前記第１の巻回部に結合されると共に弾性的に引き寄せられ、キーを着脱するために、キーの通過する間隙によって第１の巻回部と第２の巻回部の一部とが分離されているキーリングに関する。
【背景技術】
【０００２】
この種のキーリングは、従来技術において良く知られている。この種のキーリングの主たる利点は、キーが確固にリングに装着され、誤って紛失されいことであり、特に従来のキーリングの場合には、挟んだり掴んだりすることによって開閉し、例えば、衝撃が加わった後に、誤って開く可能性があり、その結果、一つ以上の鍵が、キーリングから外れてしまうことがある。
【特許文献１】米国特許第４，５４３，８６０号明細書
【発明の開示】
【発明が解決しようとする課題】
【０００３】
しかしながら、互いに弾性的に付勢されている二つの巻回部を有するキーリングの利点は、挟んだり掴んだりすることによって開閉する従来のキーリングに生じない欠点によって相殺される。すなわち、指の爪などによって反対方向に作用されるかなりの力により、第２の巻回部が第１の巻回部に対して弾性的に付勢されることから、キーリングへとキーを挿入したり取り外したりすることが困難である。そして、前記のように、二つの巻回部を有するキーリングに対しキーを取出したり、取り付けたりしようとするときに、指の爪を損傷することは、例外的なことではない。
【０００４】
特許文献１によれば、次のようなキーリングも知られている。すなわち、好ましくは円形のリングを有し、そのリングは、第１の一周した巻回部と、少なくとも一部、好ましくは全体的に巻回された第２の巻回部とを有し、第２の巻回部は、第１の巻回部に結合されると共に、第１の巻回部に対して弾性的に付勢され、第１、第２の巻回部は二つの巻回部の自由端の間および二つの巻回部の間に延在している間隙によって分離され、キーリングに対して固定または取り外されるように、キーのヘッドが前記間隙を通過し、さらにキーリングには、本体部と爪状部とを有する摘みが設けられ、その摘みは、間隙へと挿入するために十分な薄さを有すると共に、摘みを回転させることによって、二つの巻回部の間にキーヘッドを挿入する上で十分なだけ二つの巻回部が離れるように動かすための十分な幅を有する導入端を備えており、さらに、爪状部は十分な幅を有しているため、ユーザーが指でそれを保持していなくても、巻回部の間で直立した姿勢で立つことができ、その結果、彼は、キーヘッドを前記間隙に通過させるに際し、両手を解放することができる。
【０００５】
しかしながら、二つの巻回部の間の爪上部の直立位置は、略垂直であり、その周知のキーリングにおいてはこの直立位置が非常に不安定であり、その結果、二つの巻回部の間に爪を保持させることは困難になる。また、二つの巻回部と直交する直立位置に爪が残された状態となり、そして、ユーザは、再び巻回部の一方を他方から離すように移動させると共に、巻回部の間に爪を直立させなければならない。
【０００６】
本発明の目的は、前述のようなキーリングを提供することにあり、それは、巻回部の位置において、指で補助することなしに二つの巻回部の一方を他方から引き離した状態を維持することを可能とし、ユーザは、リング内へとキーを導入するに際して両手が開放され、引き離された巻回部の位置を離すことが以前の技術に比べて容易になり、かつ周知のキーの場合より一層安定する。
【課題を解決するための手段】
【０００７】
本発明は、キーリングに関し、そのキーリングは、好ましくは円形のリングを有し、前記リングは、一周している第１の巻回部と、この第１の巻回部に結合されると共に第１の巻回部に弾性的に引き寄せられた少なくとも第２の巻回部とを有し、第１の巻回部は、二つの巻回部の間および二つの自由端から延在している間隙によって第２の巻回部から分離され、キーのヘッドは、キーリングにそれを固定したり、あるいはそれを取り外したりするために、間隙を通過し、摘みは爪形状で設けられており、その摘みは、間隙に挿入するに十分な薄さと十分な幅を有し、摘みを回転させることにより、キーヘッドを挿入するために二つの巻回部が十分に離れるものであり、補助リングは前記リングに摘みを固定させるために設けられ、前記摘みは補助リングが通過する開口部を有し、その補助リングと、導入端と、摘みの開口部との相対的な寸法は、二つの巻回部の間の間隙へと挿入された導入端と共に、摘みが約９０度に回転されたとき、その補助リングが摘みに接触した状態にあるように設定され、その結果、摘みの回転は、一つの回転方向においてはそれ以上不可能となり、そのとき摘みは二つのリングの間で維持され、それにより、ユーザは摘みを保持していなくとも二つの巻回部の間にキーを挿入することができる。
【発明の効果】
【０００８】
このような装置を提供することにより、巻回部に対して相対的に摘みが９０度回転されたとき、摘みは補助リングに接触した状態となり、その結果、摘みはリングと直交する方向の位置にそれ自身を保持し、リングに接触している摘みにおいて、補助リングの維持作用また支持作用によって極めて安定した状態になる。  
補助リングは摘みの両側において摘みと接触した状態となることが好ましい。
【発明を実施するための最良の形態】
【０００９】
好ましい実施形態では、補助リングの内径は、基本的には、キーリングによって形成された平面に対して直交する方向における摘みの有効幅と二つの巻回部の二つの厚さとの合計以上になっている。
【００１０】
本発明の改良において、薄い爪形状の摘みは二つの平行した相隔たる側端部を有し、その二つの端部の間の幅は有効幅に対応しており、その幅は、二つの各巻回部に接触する二つの側端部と共に摘みが間隙内に位置するとき、間隙がキーヘッドを挿入するために十分に開かれるように設定されている。
【００１１】
このように、二つの平行な側端部を設けることにより、その摘みを間隙へと挿入した後、摘みを垂直に介在させることによって二つの巻回部を離した状態で確固に保持するように９０度回転することができ、そして、摘みは二つの各巻回部に抗して側端部により停止する。
【００１２】
本発明の特に好ましい実施形態において、挿入のために特に単純なものは、爪形状の摘みが傾斜した導入端部を有しているものである。二つの巻回部を分割する上で、傾斜は間隙への挿入に極めて有効である。
【００１３】
特に安定した実施形態では、開口は、摘みの導入端と平行する方向における寸法を有し、リングによる平面と直交する方向における導入端の有効幅と、二つの巻回部の二つの厚さとの合計と実質的に等しいかそれより大きく、好ましくは等しいことがよい。  
本発明の好ましい実施形態では、摘みは、一つのリングまたは複数のリングと同一の素材、特に鉄であることが望ましい。
【００１４】
トレードマークを一般に掲示する上で、特に有効な実施形態では、摘みを形成する構成部材は、印刷、あるいは刻まれた情報、特にトレードマーク、広告デザインまたはロゴを提供する拡大されたキーヘッドを有する。
【００１５】
図面は一例に過ぎず、本発明の好ましい実施形態を示している。  
図１は、本発明に係る摘み形成部材の第１の実施形態を示している。  
図２は、本発明に係るキーリングの実施形態における斜視図であり、リングが閉じられた位置を示している。  
図３は、図２におけるキーリングの斜視図であり、摘みが２つの巻回部を互いに分離させた中間位置を示している。  
図４は、図２および図３におけるキーリングの斜視図であり、自動的に保持された位置において摘みが互いに２つの巻回部を分離した状態を示している。
【００１６】
図２は円形のリングを示しており、そのリングは、第１の巻回部１と、第２の巻回部２を有している。第１の巻回部は、第１の自由端３から２つの巻回部を分割する部分４へと延在しており、その部分４は、第１の巻回部１を越える第２の巻回部２を通じてリングが連続するように、ハーフブリッジの形態をなしている。第２の巻回部２は、部分４から自由端５へと延在している。その二つの巻回部は、リングを形成している金属の弾性力によって互いに相反する方向に弾性的に引き合っている。キーリング内へとキーを挿入するために、一つの自由端は、互いに巻回部を分離することによって“開かれた”状態とならなければならない。  
その二つの巻回部が分離されると、キーにおける孔の開いたヘッドが挿入可能となり、かつそれはリングの内側へと移動されるまで、二つの巻回部の間の間隙に沿ってスライドする。
【００１７】
図１は、構成部材６を示し、その構成部材６は、開口部８を伴って形成された拡大されたヘッド部分７と、爪形状の摘みを形成する部分９とを有する。その摘み９は、実質的に矩形であり、導入端１０と平行する側方支持端１１を有する。その導入端１０は、僅かに傾斜している。
【００１８】
図２、図３および図４は、構成部材６および６’をの他の実施形態を示し、符号６’の付された構成部材は、２つの爪形状部分９’を有している。
【００１９】
小リング１２は、構成部材６または６’を、開口部８または８’における係合によってリングに固定する。リング１２と開口部８または８’の寸法は、操作されるべきリングから十分な距離をとることができるようになっている。この操作では、図４に示される“垂直”となる位置に置かれるように、摘みが二つの巻回部の間隙へと挿入され、その後、９０°、すなわち１／４回転だけ回転される。図４では、二つの巻回部は、自動的に互いに一定の距離で保持されており、その結果、キーヘッドを二つの巻回部の間に挿入することが可能になっている。摘み形成部のヘッド７，７’は、情報または広告ロゴまたはトレードマークを提供する。そのヘッドは、拡大されていると共に扁平であり、二つの巻回部の間に挿入する操作を容易にしている。これに代えて、ヘッドの形状は、扁平以外の形状であっても良い。
【００２０】
例示した実施形態において、メインリングは、３２ｍｍの外径と、そのリングと直交する方向において３ｍｍの厚さを有し、リングの平面と平行する方向において３ｍｍの厚さを有している。
【００２１】
補助リング１２は、リングと直交する方向において１２ｍｍの外径と、２ｍｍの厚さを有し、リングと平行する方向において１．５ｍｍの厚さを有している。爪形状の摘みは、６．５ｍｍを越えて延在する導入端を有している。小リングの径は、リングと直交する平面における二つの巻回部の厚さと、二つの支持側端の間の距離（５ｍｍ）とを加えた長さと実質的に同一である。
【図面の簡単な説明】
【００２２】
【図１】本発明に係る摘み形成部材の第１の実施形態を示す図である。
【図２】本発明に係るキーリングの実施形態における斜視図であり、リングが閉じられた位置を示している。
【図３】図３は、図２におけるキーリングの斜視図であり、摘みが２つの巻回部を互いに分離させた中間位置を示している。
【図４】図４は、図２および図３におけるキーリングの斜視図であり、自動的に保持された位置において摘みが互いに２つの巻回部を分離した状態を示している。
【図１】
2005529660.tif 000003
【図２】
2005529660.tif 000004
【図３】
2005529660.tif 000005
【図４】
2005529660.tif 000006
【国際調査報告】
2005529660.tif 000007
2005529660.tif 000008
2005529660.tif 000009
2005529660.tif 000010